(57)【要約】      （修正有）【課題】一定位置まで移動されると、後は自動的に固定側部材に引き込まれるスライドレールの引き込み装置に関するもので、簡単な構造で安価に製作出来るスライドレールの引き込み装置を提供する。【解決手段】スライドレールの引き込み装置において、アウターメンバー１の一方のボール摺動溝の端部や内側内面から他方のボール摺動溝の端部側内面に向かって傾斜する脚体５１を有する引き込み部材５をアウターメンバー１に着脱自在に設けることにより、移動側のメンバーの摺動途中は、インナーメンバー２のボール摺動溝に弾性脚体５１が接触し、移動側のメンバーが一定位置に達した状態で、移動側のメンバーの摺動方向側の端部に脚体５１が当接して、移動側のメンバーを自動的に収納位置まで移動させるものである。【選択図】 図５
2008194381.tif 000002
【特許請求の範囲】
【請求項１】
移動側のメンバーを一定位置から自動的に収納位置まで引き込む、互いに摺動自在となしたアウターメンバーとインナーメンバー等からなるスライドレールの引き込み装置において、アウターメンバーの一方のボール摺動溝の端部やや内側内面から他方のボール摺動溝の端部側内面に向かって傾斜する脚体を有する引き込み部材をアウターメンバーに着脱自在に設けることにより、移動側のメンバーの摺動途中は、インナーメンバーのボール摺動溝に弾性脚体が接触し、移動側のメンバーが一定位置に達した状態で、移動側のメンバーの摺動方向側の端部に脚体が当接して、移動側のメンバーを自動的に収納位置まで移動させる事を特徴とするスライドレールの引き込み装置。
【請求項２】
引き込み部材は、線バネにて一体に形成された脚体と取付部よりなり、取付部は、アウターメンバーの折曲縁に形成された摺動方向に長い取付孔を挿通し、ボール摺動溝の内面から折曲縁の外側に位置する横向きU字形で、脚体に連設された脚体支持部と、取付孔の端部側に位置してアウターメンバーの折曲縁に形成された係止孔に折曲縁の外側よりボール摺動溝の内面に突出して係止する横向きL字形の係止部より構成されている事を特徴とする請求項１に記載のスライドレールの引き込み装置。
【発明の詳細な説明】
【技術分野】
【０００１】
本発明は、スライドレールに連結された家具等の引出し部、陳列棚等のスライド棚等の移動側部材を、引出し状態（スライド状態）から収納位置（最終所定位置）まで完全に移動させなくても、一定位置まで移動されるとあとは自動的に家具本体等の固定側部材に引き込まれると共に、移動側部材を固定側部材に勢いよく移動させた時に生じる移動側部材の跳ね返りの防止、あるいは、運搬時、地震時等に移動側部材が不用意に固定側部材から飛び出すのを防止するスライドレールの引き込み装置に関するものである。
【背景技術】
【０００２】
家具本体等の固定側部材に引出し部等の移動側部材を収納する時、移動側部材を勢い良く収納すると、収納時の跳ね返りによって、移動側部材が完全に収納されなかったり、移動側部材を最初から完全に収納されていなかったりする場合があり、家具の運搬時、地震時に不都合が発生する原因となっていた。
この問題を解決するため、固定側部材に連結されたアウターメンバーの後端近傍内側に移動側部材が連結されたインナーメンバーの引き込み装置を設け、アウターメンバーとインナーメンバー等からなるスライドレールの収納方向に向けたスライドにより係合可能な係合部をインナーメンバーの後端部に設け、引き込み装置の内側には、スライド部材と共に係合ピンを引き込むバネを備え、インナーメンバーを収納終端位置近くまで収納すると係合部が係合ピンに係合してインナーメンバーを引き込み、一定以上の長さにインナーメンバーを引き出すと係合部が係合ピンの係合が外れて、スライド部材と係合ピン手前側に係止させる構成を有し、引出し部の不完全な収納、インナーメンバー（引出し部）を収納する時に生じる引出し部の跳ね返り、運搬時における家具の傾きによる引出し部の飛び出し、さらに地震時の振れによる引出し部の飛び出しを防止する引き込み機能付きスライドレールが提供されている。（例えば特許文献１参照。）
【０００３】
この場合、コイルバネの弾発力が直接インナーメンバーの引き込み力となるので、インナーメンバーが収納終端位置の近くまでくると急激にインナーメンバーが引き込まれるため、引出し部の収納感覚が好ましくなく、又引出し部を引き出す場合、係合部と係合ピンの係合が外れる間際が最も引き出し力を必要とし、その状態が急に解除されるので、使用者が意図する以上に引出し部が急激に引き出されることがあり、使い勝手が悪いと云う問題があった。
又、アウターメンバー、インナーメンバーに特別な加工あるいは部材をとりつける必要があり、所定のスライドレールしか使用できず、構造も複雑で部材点数も多く、高価となる欠点があった。
【０００４】
【特許文献１】特開２００４−２３６９７３号公報
【発明の開示】
【発明が解決しようとする課題】
【０００５】
本発明は、簡単な構造で安価に製作出来、スライドレールの構造に関係なく、移動側部材と固定側部材間に引き込み機能を設ける事が出来るスライドレールの引き込み装置を提供することを課題とする。
【課題を解決するための手段】
【０００６】
そこで、上記課題を解決する為、本発明が第１の手段として構成したところは、移動側のメンバーを一定位置から自動的に収納位置まで引き込む、互いに摺動自在となしたアウターメンバーとインナーメンバー等からなるスライドレールの引き込み装置において、アウターメンバーの一方のボール摺動溝の端部やや内側内面から他方のボール摺動溝の端部側内面に向かって傾斜する脚体を有する引き込み部材をアウターメンバーに着脱自在に設けることにより、移動側のメンバーの摺動途中は、移動側のメンバーのボール摺動溝に弾性脚体が接触し、移動側のメンバーが一定位置に達した状態で、移動側のメンバーの摺動方向側の端部に脚体が当接して、移動側のメンバーを自動的に収納位置まで移動させるものである。
【０００７】
次に、本発明が第２の手段として構成したところは、第１の手段としての構成に加え、引き込み部材は、線バネにて一体に形成された脚体と取付部よりなり、取付部は、アウターメンバーの折曲縁に形成された摺動方向に長い取付孔を挿通し、ボール摺動溝の内面から折曲縁の外側に位置する横向きU字形で、脚体に連設された脚体支持部と、取付孔の端部側に位置してアウターメンバーの折曲縁に形成された係止孔に折曲縁の外側よりボール摺動溝の内面に突出して係止する横向きL字形の係止部より構成されているものである。
【発明の効果】
【０００８】
請求項１に記載の発明によると、引き込み装置は、引き込み部材を着脱自在にアウターメンバーに取付けるだけであるから、インナーメンバーに特別な加工を一切必要としないので、構造が簡単で安価に制作できる。
請求項２に記載の発明によると、前記効果に加え、引き込み部材は線バネにて一体に形成されているだけであるから部品点数が少なく、構造が簡単で、安価に制作でき、取付部が横向きU字形の脚体支持部と、横向きL字形の係止部より構成されているだけであるから、アウターメンバーの折曲縁に取付孔と係止孔を形成するだけで、簡単に取付けることができ、通常のスライドレールであっても、容易に引き込み機能を有するスライドレールに変更することができる。
【発明を実施するための最良の形態】
【０００９】
移動側のメンバーを一定位置から自動的に収納位置まで引き込む、互いに摺動自在となしたアウターメンバーとインナーメンバー等からなるスライドレールの引き込み装置において、アウターメンバーの一方のボール摺動溝の端部やや内側内面から他方のボール摺動溝の端部側内面に向かって傾斜する脚体を有する引き込み部材をアウターメンバーに着脱自在に設け、引き込み部材は、線バネにて一体に形成された脚体と取付部よりなり、取付部は、アウターメンバーの折曲縁に形成された摺動方向に長い取付孔を挿通し、ボール摺動溝の内面から折曲縁の外側に位置する横向きU字形で、脚体に連設された脚体支持部と、取付孔の端部側に位置してアウターメンバーの折曲縁に形成された係止孔に折曲縁の外側よりボール摺動溝の内面に突出して係止する横向きL字形の係止部より構成されることにより、移動側のメンバーの摺動途中は、インナーメンバーのボール摺動溝に弾性脚体が接触し、移動側のメンバーが一定位置に達した状態で、インナーメンバーの摺動方向側の端部に脚体が当接して、移動側のメンバーを自動的に収納位置まで移動させるものである。
【実施例】
【００１０】
以下、第１実施例を図１から図６に基づいて説明する。
符号１００は第１実施例のスライドレールを示し、スライドレール１００はアウターメンバー１と、ボール３０・・・を回転自在に保持するボールリテーナ３を介してアウターメンバー１と互いに摺動自在となしたインナーメンバー２より構成されている。
そして、図１において右側斜め上方向を収納側、左側斜め下方向を引き出し側として説明する。
【００１１】
アウターメンバー１は、金属製の細長条板の短手両端部を内向き円弧状に折り曲げた内面長手方向にボール摺動溝１０、１０を有する上下両折曲縁１１、１１と、家具等の本体側と連結されるアウターメンバー基板１２より断面略Ｃ字形に形成されている。
そして、アウターメンバー基板１２の収納側端部をインナーメンバー２方向に折り曲げて固定側収納時ストッパー１３が形成され、折曲縁１１の引き出し側の端部に引き込み部材５を着脱自在に取付けるための係止孔１１０と、係止孔１１０の収納側に、摺動方向に長い取付孔１１１が形成されている。
【００１２】
インナーメンバー２は、金属製の細長条板の短手両端部を外向き円弧状に折り曲げて形成された外面長手方向にボール摺動溝２０、２０を有する上下両折曲縁２１、２１と、インナーメンバー基板２２より、断面略Ｃ字形に形成され、アウターメンバー１に収納された状態で、引き出し側端部がアウターメンバー１の係止孔１１０のやや前方に位置するアウターメンバー１より短めに形成されている。
そして、インナーメンバー基板２２の収納側端部をアウターメンバー１方向に折り曲げて移動側収納時ストッパー２３を形成している。
【００１３】
ボールリテーナ３は、帯条金属板にてアウターメンバー１、インナーメンバー２間に挿入可能な大きさで、かつ、インナーメンバー２の半分以下の長さで、基板３１と、アウターメンバー１とインナーメンバー２の上下の折曲縁１１、１１、２１、２１間に突出する上下の折曲片３２、３２からなり、基板３１は中央部をコ字形に折り曲げ、そして、上下の両折曲片３２、３２の摺動方向の数箇所に複数個のボール３０・・・を回転自在に保持している。
【００１４】
第１実施例のスライドレール１００は上記の如く構成され、スライドレール１００の最大伸長時には、インナーメンバー２の移動側移動時ストッパー２３が、ボールリテーナ３の収納側端面に当接し、ボールリテーナ３の引き出し側端面がアウターメンバー１のボール保持板引出し時ストッパー（図示せず。）に当接して停止する。
【００１５】
一方、スライドレール１００の最短収縮状態では、インナーメンバー２の引出し側端部の移動側収納時ストッパー２３が、アウターメンバー１の収納側端部に形成された固定側収納時ストッパー１３に当接して停止し、引き込み部材５によって最短収縮状態が保持されている。
【００１６】
引き込み部材５は、線バネにて一体に形成された脚体５１と取付部５２より構成され、
脚体５１は、アウターメンバー１の上側のボール摺動溝１０の引き出し側端部やや内側内面（取付孔１１１部分）から下側のボール摺動溝１０の引き出し側内面に向かって傾斜し、下端部に上方に突出するU字形の接触突部５１１が形成され、取付部５２は、アウターメンバー１の上側の折曲縁１１に形成された摺動方向に長い取付孔１１１を挿通し、ボール摺動溝１０の内面から上側の折曲縁１１の外側に位置する横向きU字形で、脚体５１の上端部に連設された脚体支持部５３と、取付孔１１１の引き出し側の端部側に位置してアウターメンバー１の上側の折曲縁１１に形成された係止孔１１０に折曲縁１１の外側よりボール摺動溝１０の内面に突出して係止する横向きL字形の係止部５４より構成されている
。
【００１７】
そして、アウターメンバー１にインナーメンバーが装着されていない状態で、接触突部５１１から脚体５１を取付孔１１１に挿通し、下側の折曲縁１１の外側に脚体５１を位置させ、脚体支持部５３の収納側を持ち上げて起立状態にしながら、係止部５４の一部を係止孔１１０を挿通して下方に突出させた状態（図４示す状態。）から、脚体支持部５３を収納側に倒伏させて、係止孔１１０に係止部５４を係止し、次に脚体５１の弾性力に抗して係止突部５１１を持ち上げるようにして、下側のボール摺動溝１０に当接させて取付け、その後、インナーメンバー２を装着する。一方、引き込み部材５を取り外す時は前記と逆の操作となる。
【００１８】
第１実施例は、上記のように構成され、アウタメンバー１を家具本体等と連結される固定側のメンバーとし、インナーメンバー２を引き出し等が連結される移動側のメンバーとして使用した場合について説明すると、インナーメンバー２がアウターメンバー1内に収納され、スライドレール１００の最短収縮状態で、引き込み部材５の脚体５１の上部の収納側がインナーメンバー２の上側の折曲縁２１の引き出し側端面に、上向きに弾性変形した状態で引き込み力を付与しながら当接している。（図５に示す状態。）
したがって、この状態でインナーメンバー２は不用意に引き出されることがなく、あるいは、運搬時、地震時等にインナーメンバー２（移動側部材）が不用意にアウターメンバー１（固定側部材）から飛び出す事がない。
【００１９】
次に、脚体５１の引き込み力に抗してインナーメンバー２を引き出していくと、インナーメンバー２の上折曲縁２１の引き出し側の端面によって、脚体５１は、さらに上方に弾性変形し、接触突部５１１が摺動溝２０に接触した状態が維持されながら（図７に示す状態。）インナーメンバー２は摺動し、やがて、移動側移動時ストッパー２３が、ボールリテーナ３の収納側端面に当接し、同時にボールリテーナ３の引き出し側端面がアウターメンバー１のボール保持板引出し時ストッパー（図示せず。）に当接して停止して、スライドレールは最大伸長状態となる。
尚、接触突部５１１が摺動溝２０に接触した状態で、インナーメンバー２が摺動しても、接触突部５１１はU字形に形成されているので、摺動溝２０を傷つけることがなく、又、摺動途中で違和感が生じることもない。
【００２０】
さらに、摺動溝２０は内向き円弧状に形成されているので、接触突部５１１は弾性力が付与された状態で摺動溝２０の最も窪んだ個所に位置することとなり、インナーメンバー２の摺動途中で、上折曲縁２１を乗り越える恐れは一切ない。
次に、最大伸長状態となったスライドレール１００のインナーメンバー２を収納方向に移動させると、接触突部５１１の収納側方向に移動側端面が移動するにつれて、脚体５１は弾性によって下方に変移し、所定位置に達すると（図6に示す状態）、インナーメンバー２の引き出し側端面に弾性力を付与し、インナーメンバー２を収納側に押しやることで、インナーメンバー２はアウターメンバー１に引き込まれる。
又、脚体５１の弾性力によって、インナーメンバー２（移動側部材）をアウターメンバー１（固定側部）内に勢いよく移動させた時に生じるインナーメンバー２（移動側部材）の跳ね返りも防止することができる。
尚、第１実施例では、アウターメンバー１を固定側のメンバーとして、インナーメンバー２を移動側のメンバーとして説明しているが、
アウターメンバー１を移動側のメンバーとして、インナーメンバー２を固定側のメンバーとして使用した場合は、引き込み部材５はアウターメンバー１（移動側部材）の収納側の端部に設けることとなる。
【００２１】
次に第2実施例を図８、図９に基づいて説明する。
図８において、符号２００は第２実施例のスライドレールを示し、スライドレール２００は、固定側メンバー６と、移動側メンバー７と、固定側メンバー６と移動側メンバー７間に設けられた中間メンバー８と、固定側メンバー１と中間メンバー8間に設けられ、ボール４００を回転自在に保持する固定側ボールリテーナ４と、移動側メンバー７と中間メンバー8間に設けられ、ボール４００を回転自在に保持する移動側ボールリテーナ４０より構成されている。
そして、図１において右側斜め上方向を収納側、左側斜め下方向を引き出し側として説明する。
【００２２】
固定側メンバー６は、金属製の細長条板の短手両端部を内向き円弧状に折り曲げた内面長手方向にボール摺動溝６０、６０を有する上下折曲縁６１、６１と、家具等の本体側と連結される固定側メンバー基板６２より断面略Ｃ字形に形成されている。
そして、固定側メンバー基板６２の収納側端部が移動側メンバー７方向に折り曲げられて固定側収納時ストッパー６３が形成され、固定側メンバー６の基板６２の引出し側端部に固定側移動時ストッパー（図示せず。）が形成され、固定側移動時ストッパーの引き出し側に引き込み部材５が取付けられている。
【００２３】
中間メンバー８は、上記固定側メンバー６に挿入可能な大きさで固定側メンバー６より引き出し側が短い長さの固定側基板８０１と、固定側基板８０１の上下端部を外向き円弧状に折り曲げて外面長手方向にボール摺動溝８００、８００を有する上下両折曲縁８０２、８０２よりなる断面略Ｃ字形の固定側中間メンバー８０３と、上記移動側メンバー７に挿入可能な大きさで移動側メンバー７より収納側が短い長さの移動側基板８１１と、移動側基板８１１の上下端部を外向き円弧状に折り曲げて外面長手方向にボール摺動溝８１０、８１０を有する上下の両折曲縁８１２、８１２よりなる断面略Ｃ字形の移動側中間メンバー８１３より断面略Ｉ字形に形成されている。
【００２４】
そして、スライドレール２００の最大伸長時、固定側ボールリテーナ４の収納側端面に当接し、スライドレール２００の最短収縮時、固定側収納時ストッパー６３の内面に当接する中間メンバー収納時ストッパー８０５が、固定側中間メンバー８０３の固定側基板８０１の収納側端部で、固定側メンバー６側に突出して形成されている。
又、スライドレール２００の最大伸長時、移動側メンバー７の移動側ボールリテーナー４０の引出し側端面が当接するボールリテーナ引出し時ストッパーが、移動側中間メンバー８１３の移動側基板８１１の引出し側端部に、移動側メンバー７側に突出して形成されている。
【００２５】
固定側ボールリテーナ４と移動側ボールリテーナ４０は対向した同形で、帯条金属板にて固定側メンバー６、移動側メンバー７及び、中間メンバー８との間に挿入可能な大きさで、かつ、両メンバー６、７の半分程度の長さで、基板４１、４０１と上下の折曲片４２、４２、４０２、４０２からなり、基板４１、４０１は中央部をコ字形に折り曲げ、そして、上下の両折曲片４２、４２、４０２、４０２の摺動方向の数箇所に複数個のボール４００・・・を回転自在に保持している。
【００２６】
移動側メンバー７は、固定側メンバー６と対向した断面同形で、ほぼ同長に形成され、金属製の細長条板の短手両端部を内向き円弧状に折り曲げて形成された内面長手方向にボール摺動溝７０、７０を有する上下の両折曲縁７１、７１と、移動側メンバー基板７２より、断面略Ｃ字形に形成されている。
【００２７】
そして、移動側メンバー基板７２の引出し側端部を固定側メンバー６方向に折り曲げて形成された移動側収納時ストッパー７３と、移動側メンバー基板７２の収納側端部の一部を固定側メンバー６方向に突出させて形成された移動側移動時ストッパー７４を有している。
【００２８】
すなわち、第２実施例のスライドレール２００は、第１実施例の２つのスライドレール１００、１００のインナーメンバー２、２の基板２２、２２同士を左右前後対称に背中合わせに固着した構成で、一方のアウターメンバー１を固定側メンバー６とし、他方のアウターメンバー１を移動側メンバー７とし、背中合わせに固着されたインナーメンバー２、２を中間メンバー８としたものである。
従って、第１実施例の引き込み部材５の一つは、第２実施例では固定側メンバー６の引き出し側の端部に設けられ、もう一つの引き込み部材５は、移動側メンバー７の収納側の端部に設けられる事となる。
よって、固定側メンバー６の引き込み部材５は、第１実施例の引き込み部材５と全く同じ構成で、同じように作用して中間メンバー８を収納側に引き込むこととなる。
一方、移動側メンバー７の引き込み部材５は、脚体５１が下側のボール摺動溝７０の引き出し側内面に向かって傾斜している。
【００２９】
そして、スライドレール２００の最短収縮状態で、固定側メンバー６の引き込み部材５の脚体５１の上部の収納側が中間メンバー８の固定側中間メンバー８０３の上側の折曲縁８０２の引き出し側端面に上向きに弾性変形した状態で当接して、中間メンバー８を収納方向に押しやっている。
一方、移動側メンバー７に設けられた引き込み部材５は、移動側中間メンバー８１３の上側の折曲縁８１２の収納側端面に、上向きに弾性変形した状態で当接し、移動側メンバー８を収納方向に引き込んでいる。
すなわち、固定側メンバー６の引き込み部材５は、中間メンバー８を固定側メンバー７に収納された状態に保持し、移動側メンバー７の引き込み部材５は、中間メンバー８と移動側メンバー７の最短収縮状態を維持するので、移動側メンバー７、中間メンバー８は、不用意に引き出されることがなく、又、運搬時、地震時等に不用意に固定側メンバー６（固定側部材）から不用意に飛び出す事がないので安全である。
【００３０】
次に、脚体５１の引き込み力に抗して移動側メンバー７を引き出していくと、中間メンバー８の移動側中間メンバー８１３の上折曲縁８１２の収納側の端面によって、脚体５１は、さらに上方に弾性変形し、接触突部５１１が摺動溝８１０に接触しながら、移動側メンバー７と共に引き出し方向に移動し、やがて、移動側レール７の移動側移動時ストッパー７４が移動側ボールリテーナ４０の収納側端面に当接し、移動側ボールリテーナ４０の引出し側端面は中間レール８のボールリテーナ引出し時ストッパーに当接することで、中間メンバー８は、移動側メンバー７と共に引き出される。同時に、固定側中間メンバー８０３の上折曲縁８０２の引き出し側端面面によって、固定側メンバー６の引き出し側端部に設けられた引き込み部材５の脚体５１は、さらに上方に弾性変形し、接触突部５１１が摺動溝８００に接触した状態で、中間メンバー８は引き出されていき、固定側ボールリテーナ４の引き出し側端面が固定側移動時ストッパーに当接し、固定側ボールリテーナ４の収納側端面に固定側中間メンバー８０３の中間メンバー収納時ストッパー８０５が当接して停止し、第２実施例のスライドレール２００は最大伸長状態となる。
【００３１】
一方、最大伸長状態となったスライドレール２００の移動側メンバー７を収納方向に移動させて、同時に引き込み部材５の脚体５１の接触突部５１１が移動側中間メンバー８１３の上側の摺動溝８１０に接触しながら移動し、やがて、接触突部５１１が摺動溝８１０の収納側に位置すると、脚体５１の弾性によって上折曲縁８１２の収納側端面を引き出し方向に押しやる事により、反作用によって移動側メンバー７は収納方向に移動し、移動側収納時ストッパー７３が中間メンバー８の移動側中間メンバー８１３の引き出し側端面に当接して移動側メンバー７は停止し、移動側メンバー７と中間メンバー８は最短収縮状態に保持される。
そして、さらに中間メンバー８が収納方向に移動し、接触突部５１１の収納側に上折曲縁８０２の移動側端部が位置すると、脚体５１は弾性によって、下方に変移することで、中間メンバー８の引き出し側端面を収納側に押しやることで、中間メンバー８は固定側メンバー７に引き込まれる。
そして、脚体５１、５１の弾性力によって、移動側メンバー７（移動側部材）を中間メンバー８と共に固定側メンバー６（固定側部）に勢いよく移動させた時に生じる移動側メンバー７（移動側部材）の跳ね返りも防止することができる。
【００３２】
尚、第２実施例のスライドレール２００は、上記したように、第１実施例の２つのスライドレール１００、１００のインナーメンバー２、２の基板２２、２２同士を左右前後対称に背中合わせに固着した形状で、一方のアウターメンバー１を固定側メンバー６とし、他方のアウターメンバー１を移動側メンバー７とし、背中合わせに固着されたインナーメンバー２、２を中間メンバー８としたものであるが、第１実施例のスライドレール１００のインナーメンバー２の基板２２に、同じスライドレール１００のアウターメンバー１を同じ向きに固着して一つのスライドレールとして使用することも可能である。（図１０に示す。）
すなわち、本願発明は、着脱自在に引き込み部材をもうけたアウターメンバー１と、アウターメンバー１に摺動自在としたインナーメンバー２で構成されたスライドレール１００を一つのユニットとすることで、このユニットを単体で使用することも、又、複数ユニットを相互に連結して一本のスライドレールとして構成することも可能となる。
【図面の簡単な説明】
【００３３】
【図１】本発明の第１実施例の斜視図
【図２】図１の要部縦断面図
【図３】引き込み部材の斜視図
【図４】引き込み力材の取付途中の説明図
【図５】インナーメンバーが収納された状態の正面図
【図６】インナーメンバーが引き込まれる途中の正面図
【図７】インナーメンバーが引き出されている途中の正面図
【図８】本発明の第２実施例の斜視図
【図９】図８の要部縦断面図
【図１０】他の実施例の要部縦断面図
【符号の説明】
【００３４】
１              アウターメンバー
１１、１１      上下両折曲縁
１１０          係止孔
１１１          取付孔
１００          スライドレール
２              インナーメンバー
２０            ボール摺動溝
５              引き込み部材
５１            脚体
５２            取付部
５３            脚体支持部
５４            係止部
【図１】
2008194381.tif 000003
【図２】
2008194381.tif 000004
【図３】
2008194381.tif 000005
【図４】
2008194381.tif 000006
【図５】
2008194381.tif 000007
【図６】
2008194381.tif 000008
【図７】
2008194381.tif 000009
【図８】
2008194381.tif 000010
【図９】
2008194381.tif 000011
【図１０】
2008194381.tif 000012